(57)【要約】【課題】  チャイルドシート１０に着座した比較的体格の小さな乳幼児の頭部、身体の姿勢を適切に保持することで、シートベルト１２a、１２ｂの位置を正しく保ち車両乗車時の安全性を高め、且つチャイルドシート用マット１を使用するにあたり、その利便性の向上を図る。【解決手段】  チャイルドシート１０の背もたれ部９ｂから座部９aにかけて載置されるように長尺に形成されたマットベース２と、このマットベース２の上部に位置して、使用者の頭部を当てるための頭当接部３と、この頭当接部３の直下の位置で、両側縁からそれぞれ内側に向かって形成された切り込み部７a、７ｂと、この切り込み部７a、７ｂの直下の左右両側位置に使用者の肩、至腰付近の身体に当てるための一対の身体当接部４a、４ｂと、を備え、頭当接部３及び身体当接部４a、４ｂを、マットベース２との着脱が可能となるようにする。【選択図】  図３
2006102385.tif 000002
【特許請求の範囲】
【請求項１】
座部と、
該座部の奥側から立ち上がる背もたれ部と、
該背もたれ部の両端側に設けた側壁部と、
前記背もたれ部に設けたシートベルトを前記座部付近で固定する固定手段と、を備えたチャイルドシートに用いられるチャイルドシート用マットであって、
前記チャイルドシートの背もたれ部から座部にかけて載置されるように長尺に形成されたマットベースと、
該マットベースの上位部の両側縁から内側に向かって形成された切り込み部と、
該切り込み部の上部に配置された使用者の頭部を当てるための頭当接部と、
該切り込み部の直下部の左右両側位置に、使用者の肩、及び腰付近の身体に当てるための一対の身体当接部と、を備え、
前記頭当接部、及び前記身体当接部は、前記マットベースとの着脱が可能であることを特徴とするチャイルドシート用マット。
【請求項２】
前記左右両側位置に一対配置された身体当接部の間に空間的隙間を設けたことを特徴とする請求項１記載のチャイルドシート用マット。
【請求項３】
前記頭当接部の中央付近に凹部を設けたことを特徴とする請求項１又は２記載のチャイルドシート用マット。
【請求項４】
前記マットベース、前記頭当接部、及び前記身体当接部の表面は吸水性を有した布で、裏面は前記吸収された水分を発散させる構造を備えたことを特徴とする請求項１、２、又は３記載のチャイルドシート用マット。
【発明の詳細な説明】
【技術分野】
【０００１】
本発明は、例えば自動車等の乗り物の座席に装着されるチャイルドシートに載置されるマットに関するものである。
【背景技術】
【０００２】
乗り物、例えば乗用車等の座席は通常、大人が着席するように作られており、この座席に装備されているシートベルトは乳幼児の小さな身体に適合していない。このため、乗用車等の座席に乳幼児を座らせる際には、チャイルドシートやベビーシートと呼ばれる補助シートを装着し、このチャイルドシートに乳幼児を座らせて、該チャイルドシートに装備されたシートベルトで小さな身体を固定するようにしている。前記チャイルドシートは大体において０歳から５歳位までの乳幼児が使用するものであり、一般的なチャイルドシートは５歳位の乳幼児の平均的な体格に適合するサイズで製作されている。
しかしながら、０歳と５歳の乳幼児では体格は大きく異なるので、例えば０歳や１歳位の乳幼児が乗用車等に装着されたチャイルドシートに着座したときには、チャイルドシートと身体の間に隙間ができ、シートベルトで適切に身体を固定することが十分に達成出来ていないという事例も多い。また適切に身体を固定することが十分でないことに起因して、乳幼児の姿勢が傾きやすくなり、乗用車でカーブを曲がったときに乳幼児の頭部が振られたり、乳幼児が眠ってしまったとき頭が大きく傾いてしまうこともあり、安全性の確保が十分に取れていないという問題もある。以下、１歳未満の子供を「乳児」とし、１歳〜５歳位の子供を「幼児」とする。
【０００３】
特許文献１、２のチャイルドシート用マットは、チャイルドシート上に着座した乳幼児が発汗した場合に汗を吸い取り乳幼児の不快感を軽減する、又はチャイルドシート用マットをチャイルドシートから着脱可能にすることで掃除を容易に行うことができ、乳幼児が発汗した汗や食べこぼした食品がマットに付着した場合でも、チャイルドシート用マット、及び掃除しにくいチャイルドシートを常に清潔に保つことを主目的として為された発明であり、乳幼児の身体をチャイルドシートに適切に固定するための構成についての記載はされていない。
【特許文献１】特開２００３−５４２９４
【特許文献２】特開２００１−３４０１７３
【発明の開示】
【発明が解決しようとする課題】
【０００４】
そこで、本発明は、乳幼児を、最適な姿勢でチャイルドシートに着座させることで、安全性を確保し、しかも、チャイルドシート用マットを使用するにあたり、その利便性の向上をも図ることを課題とする。
【課題を解決するための手段】
【０００５】
上記課題を解決するための手段として、請求項１記載の発明は、座部と、該座部の奥側から立ち上がる背もたれ部と、該背もたれ部の両端側に設けた側壁部と、前記背もたれ部に設けたシートベルトを前記座部付近で固定する固定手段と、を備えたチャイルドシートに用いられるチャイルドシート用マットであって、前記チャイルドシートの背もたれ部から座部にかけて載置されるように長尺に形成されたマットベースと、該マットベースの上位部の両側縁から内側に向かって形成された切り込み部と、該切り込み部の上部に配置された使用者の頭部を当てるための頭当接部と、該切り込み部の直下部の左右両側位置に、使用者の肩、及び腰付近の身体に当てるための一対の身体当接部と、を備え、前記頭当接部、及び前記身体当接部は、前記マットベースとの着脱が可能であることを特徴とするチャイルドシート用マットである。
【０００６】
ここで、「使用者の頭部を当てるための頭当接部」とは、チャイルドシートに着座した使用者の頭部に接し、使用者の頭部の傾き、揺れを防ぎ、頭部を保護するための枕等を指し、「使用者の肩、及び腰付近の身体に当てるための身体当接部」とは、チャイルドシートに着座した使用者の身体の背中部から両側の肩、腰までにかけて接し、乳幼児の身体とチャイルドシートとの隙間を埋め、使用者の身体を保持、保護するクッション等をいう。
請求項１記載の「頭当接部」や「身体当接部」は乳幼児が好む、又は乳幼児らしさを備えた形状にすることが好ましく、例えば「頭当接部」をひまわりの花の形状とし、「身体当接部」はひまわりの葉の形状とすることが考えられる。
本発明における「切り込み部」とは、チャイルドシートにチャイルドシート用マットが載置された状態で、チャイルドシートの背もたれ部に設けられたシートベルトを座部付近で固定するときに、該シートベルトをチャイルドシート用マットの切り込み部に通すことにより、座部付近で固定する為に設けられている。シートベルトを通すための切り込み部を設けることで、例えば、該切りこみ部に換えて貫通穴を設けた構成に比べて、チャイルドシート用マットをシートベルトに固定する作業を容易にできる。
【０００７】
請求項１記載の頭当接部や身体当接部をマットベースに着脱する手段としては、マジックテープ(登録商標)、ホック、スナップボタン等を用いて行う構成が好ましい。
【０００８】
請求項２記載の発明は、前記左右両側位置に一対配置された身体当接部の間に空間的隙間を設けたことを特徴とする請求項１記載のチャイルドシート用マットである。
【０００９】
ここで「一対配置された身体当接部の空間的隙間」とは、マットベースの左右両側位置に一対配置された厚みを持った身体当接部が、マットベースの中央部から離れた状態で取り付けられた為に、左右両側位置の身体当接部の間に出来る隙間を指し、チャイルドシートに使用者が着座したときに使用者の背中とマットベースとの間にできる空間をいう。
【００１０】
請求項３記載の発明は、前記頭当接部の中央付近に凹部を設けたことを特徴とする請求項１又は２記載のチャイルドシート用マットである。
【００１１】
ここでいう頭当接部の凹部とは、乳幼児の後頭部が接触する中央が窪んだ枕で、その外周部全体、左右両側の外周部、あるいは外周部のうち複数部分が盛り上がっている状態をいう。
【００１２】
請求項４記載の発明は、前記マットベース、前記頭当接部、及び前記身体当接部の表面は吸水性を有した布で、裏面は前記吸収された水分を発散させる構造を備えたことを特徴とする請求項１、２、又は３記載のチャイルドシート用マットである。
【００１３】
「前記吸収された水分を発散させる構造」は、頭当接部や身体当接部の裏面を、合成繊維性の立体メッシュ構造とすることで水分を発散させる構造とするのが好適である。
【発明の効果】
【００１４】
本発明によれば、頭当接部、身体当接部を備えたチャイルドシート用マットをチャイルドシートに載置することで、チャイルドシートと使用者の身体との隙間を埋めることにより、例えば、体格が小さい０歳から１歳位の乳幼児がチャイルドシートに着座した場合でも、身体が傾かないように最適な姿勢を保つことが出来、安全性を確保することが出来る。
また、チャイルドシート用マットをチャイルドシートから着脱可能にすることで掃除を容易に行うことができ、チャイルドシート用マット、及び掃除しにくいチャイルドシートを常に清潔に保つことが出来る。
しかも、頭当接部、及び身体当接部をマットベース上に着脱する手段として、マジックテープ(登録商標)又は、ホック、スナップボタン等を複数設ける構成を採用することにより、マットベース上の自由な位置に着脱することが可能となり、乳幼児の体型に合わせ、配置場所を調整することが出来る。また乳幼児の成長に合わせ、配置場所を調整することが出来るので、買い替えコストを低減出来る。また、頭当接部、及び身体当接部をマットベース上に着脱可能とすることで、例えばチャイルドシート用マットのうち、頭当接部のみ汚れてしまった場合でも、頭当接部のみマットベースから取り外し掃除すれば良く、掃除の手間を省くことが出来る。よって、利便性の向上を図ることが出来る。
尚、ここで比較的小さな体格の乳幼児として０歳から１歳位と表記したが、本発明のチャイルドシート用マットは前記年齢に制限されるものでない。
【００１５】
本発明のチャイルドシート用マットの利用範囲として乗用車等に用いられるチャイルドシートで説明するが、例えば乳幼児をのせて人が手押しで移動するベビーカー等にも、本発明のチャイルドシート用マットは載置することが出来る。前記ベビーカーに本発明のチャイルドシート用マットを載置した場合にも、前記した本発明による効果が発揮出来ることはいうまでもない。
【００１６】
また、本発明において、「頭当接部」や「身体当接部」を乳幼児が好む、又は乳幼児らしさを備えた形状にすることで、デザイン面で他社製品との差別化を図ることが出来、好適である。
【００１７】
請求項２によれば、一対の身体当接部の間の空間的隙間が使用者の背中中央の通気性を確保する為、使用者の背中の、発汗、及び蒸れを防止し、不快感を軽減することが出来る。
【００１８】
請求項３によれば、頭当接部を凹部にし、使用者の頭部を頭当接部で包み込むことで、使用者の頭部を保持、保護することが出来る。
【００１９】
請求項４によれば、使用者の汗を頭当接部や身体当接部の表面で吸収し、裏面で前記頭当接部や身体当接部の裏面で前記吸収した汗を発散させることで、蒸れを防止し、使用者の不快感を軽減することが出来る。
【発明を実施するための最良の形態】
【００２０】
以下、本発明の実施形態を図面を参照して説明する。尚、本発明の実施形態は下記の内容に何ら限定されるものでなく、本発明の技術的範囲に属する限り種々の形態を採り得ることはいうまでもない。
【００２１】
(第１実施形態)
図１は、第１実施形態におけるチャイルドシートやベビーシートなどに載置するためのチャイルドシート用マット１の概略正面図で、図２は、本実施形態におけるチャイルドシート用マット１のマットベース２の概略正面図を表したものである。
【００２２】
図１に示したチャイルドシート用マット１は、長尺に形成されたマットベース２、前記マットベース２の中央上側に配置された頭当接部３、該頭当接部３の直下の左右両側に配置された身体当接部４a、４ｂで構成されており、チャイルドシート用マット１をチャイルドシート１０に載置した状態で乳幼児が着座した場合に(図４参照)、頭当接部３は乳幼児の頭部に、身体当接部４a、４ｂは乳幼児の肩から脇腹、あるいは腰辺りまで接するように配置されている。
【００２３】
前記頭当接部３の中央には凹状に窪んだ凹部３aが設けられており、外周部は厚みを持ったクッション状の形状を為しているので、乳幼児の頭部の保持、保護をするのに適している。尚、前記頭当接部３は後述する図５において詳細に説明する。
【００２４】
身体当接部４a、４ｂは厚みを持つクッション状をなし、チャイルドシート用マット１をチャイルドシート１０に載置した状態で乳幼児が着座した場合に(図４参照)、乳幼児の身体とチャイルドシート１０の背もたれ部９ｂ（図３参照）の両端側に設けられた側壁部１１a、１１ｂ（図３参照）との隙間を埋めることで、乳幼児を最適な姿勢で着座させることが出来、乳幼児の身体を保持、保護するのに適している。身体当接部４a、４ｂは後述する図６において詳細に説明する。
【００２５】
図２に示すように、本実施形態におけるマットベース２は、頭当接部３が配置される位置にマジックテープ(登録商標)５が、身体当接部４a、４ｂが配置される位置にマジックテープ(登録商標)６a、６ｂが取り付けられており、頭当接部３が配置されるマジックテープ(登録商標)５の直下の両縁には切り込み部７a、７ｂ、身体当接部４a、４ｂが配置されるマジックテープ(登録商標)６a、６ｂの直下には足置載部８a、８ｂを設けた構造をなしている。
【００２６】
本実施形態においてのマジックテープ(登録商標)５、６a、６ｂは、図１に示した頭当接部３、身体当接部４a、４ｂをマットベース２から着脱可能とするために設けられており、マジックテープ(登録商標)５、６a、６ｂにより図1の頭当接部３、身体当接部４a、４bの着脱が容易に行うことが出来る。このようにマジックテープ(登録商標)５、６a、６ｂにより頭当接部３、身体当接部４a、４ｂの着脱を行うことが出来る構成にすることにより、乳幼児が本発明のチャイルドシート用マット1の一部を汚してしまった場合に、その部分のみを取り外し、洗濯することも可能であるので、洗濯の手間を省くことが出来る。もちろんチャイルドシート用マット1の全面を汚してしまった場合においてもチャイルドシート１０からチャイルドシート用マット1を取り外し、さらにマットベース２、前記頭当接部３、身体当接部４a、４bに分けて各部分毎に洗濯することも可能であり常に清潔な状態で使用できることはいうまでもない。
また、マジックテープ(登録商標)５、６a、６ｂは、マットベース２上から着脱することも可能であり、マットベース２上の自由な位置に配置することが出来る。このように、マジックテープ(登録商標)５、６a、６ｂをマットベース２から着脱可能にすることにより、乳幼児の成長に合わせ、頭当接部３、身体当接部４a、４bの配置場所を調整することが出来るので、買い替えコストを低減することが出来る。
【００２７】
ここで、マットベース２への頭当接部３、身体当接部４a、４ｂの着脱をするのにマジックテープ(登録商標)５、６a、６ｂを使用したが、着脱、及び位置調整が容易に行えるものであればマジックテープ(登録商標)５、６a、６ｂに限らず、ホック、スナップボタン等を用いて、着脱、位置調整が行える構成としても良い。
尚、マジックテープ(登録商標)５、６a、６ｂは小さなフック状の突起が無数についた布状のものと、小さなループ状の糸が無数についた布の一対で保持する構造となっている、そのためマットベース２の表面、及び頭当接部３、身体当接部４a、４bの裏面には、前記一対で保持する布のうち、片方が取り付けられているのは言うまでもない。
【００２８】
図３では本実施形態におけるチャイルドシート用マット1をチャイルドシート１０に載置した状態の概略正面図、図４では本実施形態におけるチャイルドシート用マット1をチャイルドシート１０に敷載した状態で乳児２０が着座した場合の概略斜視図を示す。尚、図４では１歳未満の乳児２０がチャイルドシート１０に着座した状態を示しているが、大体において１歳〜３歳の幼児に置き換えても、以後説明する作用、効果が発揮できることはいうまでもない。
【００２９】
図３、４においてのチャイルドシート１０は市販されている一般的な形態のもので、例えば乗用車の座席のシートベルトなどを利用することで、チャイルドシート１０を固定し、乳幼児を座らせるためのものである。図３に示すように、チャイルドシート１０は、ほぼ平らな面をなし乳幼児が着座する座部９aと、該座部９aの奥側から立ち上がる背もたれ部９ｂと、背もたれ部９ｂの両側部に設けた側壁部１１a、１１ｂと、座部９aの両端側に、側壁部１１a、１１ｂと一体となった座部側壁１１ｃ、１１ｄを備えている。
またチャイルドシート１０は、一対のシートベルト１２a、１２ｂと、このシートベルト１２a、１２ｂを前記座部９a付近で固定する締結部１３を備えている。
【００３０】
このシートベルト１２a、１２ｂはチャイルドシート１０の背もたれ部９ｂに設けた貫通孔（貫通孔は同一の高さに並列して一対配置され、使用者の身体の大きさに対応するように上下方向に複数設けられている）を通って、チャイルドシート１０の背面側から、前面側へ挿通されて、使用者の身体の前面に回されるようになっている。
【００３１】
本実施形態のチャイルドシート用マット1は前記チャイルドシート１０の中央部にその長尺方向を合わせて載置される。その載置はチャイルドシート１０のベルト１２a、１２ｂをマットベース２の切り込み部７a、７ｂに通し、さらにチャイルドシート１０の締結部１３をマットベース２の足置載部８a、８ｂの間の幅を持たせた切り込みに通すことにより行う。これにより本実施形態のチャイルドシート用マット1はチャイルドシート１０の最適な位置に載置される。また本実施形態のチャイルドシート１０は一般的な形態のものなので、本発明のチャイルドシート用マット１を図１に示した形状にすることにより、ほとんどのメーカーのチャイルドシート１０に載置することが可能となる。
【００３２】
図4はチャイルドシート用マット1をチャイルドシート１０に載置した状態で、乳児２０が着座した場合の概略斜視図を表している。図４では、乳児２０の頭部位置に頭当接部３、身体の肩から腰の位置に身体当接部４a、４ｂが接している状態でチャイルドシート１０のシートベルト１２a、１２ｂを締結部１３で固定している。
【００３３】
図４のチャイルドシート用マット1をチャイルドシート１０に敷載した状態で乳児２０が着座した場合の乳児２０の頭部位置の状態を図５に、身体位置の状態を図６に示す。
【００３４】
図５は乳児２０が着座した場合の頭部位置の断面図を示しており、それぞれチャイルドシート１０、側壁部１１a、１１ｂ、マットベース２、頭当接部３、頭当接部の凹部３a、マジックテープ(登録商標)５、乳児の頭部２１を示している。
【００３５】
図３に示したように、マットベース２はチャイルドシート１０に載置されており、チャイルドシート１０に対し、位置がずれることはない。そのためマットベース２上にマジックテープ(登録商標)５で取り付けされている頭当接部３もチャイルドシート１０の左右方向のほぼ中央に固定、保持され、位置がずれることがなく、乳児の頭部２１はこの頭当接部３を枕として接する。
【００３６】
また本実施形態における頭当接部３は、中央部が凹部３a状に窪んでいるため、そこに接する乳児の頭部２１も左右にずれることなく、固定、保持されることになる。そのためこの頭当接部３は、例えば車両がカーブ等を走行した場合においても、乳児の頭部２１を適切に固定、保持し、乳児の頭部２１が左右に振られることを防ぐことが出来る。また乳児２０が寝入ってしまった場合にも乳児の頭部２１が大きく左右に傾くことを防ぐ。
このことは車両乗車時の乳児２０の首などへの負担を大きく低減するだけでなく、チャイルドシート１０に着座した乳児２０の姿勢を最適に保ち、図４に示した身体に接するシートベルト１２a、１２ｂの位置を正しく保ち車両乗車時の安全性を高めることにも繋がる。
【００３７】
次にチャイルドシート用マット1をチャイルドシート１０に載置した状態で、乳児２０が着座した場合の乳児２０の身体位置の断面図を図６に示す。
【００３８】
図６はそれぞれチャイルドシート１０、側壁部１１a、１１ｂ、マットベース２、身体当接部４a、４ｂ、マジックテープ(登録商標)６a、６ｂ、乳児の身体２２を表している。
【００３９】
ここでも、図３に示すようにマットベース２はチャイルドシート１０に敷載されており、チャイルドシート１０に対し位置がずれることはない。そのためマットベース２上にマジックテープ(登録商標)６a、６ｂで取り付けられている身体当接部４a、４ｂもチャイルドシート１０の側壁部１１a、１１ｂに接して固定、保持され、位置がずれることがない。
【００４０】
図６に示すようにチャイルドシート１０の側壁部１１a、１１ｂと身体当接部４a、４ｂにより、チャイルドシート１０と乳児の身体２２との隙間が埋められ、身体当接部４a、４ｂより内側に接する乳児の身体２２は、チャイルドシート１０のほぼ中央で左右にずれることなく、固定、保持されることになる。
そのため、図５の乳児の頭部２１の時と同様に、例えば、車両がカーブ等を走行した場合においても乳児の身体２２を適切に保持し、乳児の身体２２が振られることがなく身体などへの負担を大きく低減する。さらにチャイルドシート１０に着座した乳児２０の姿勢を最適にし、図４で示した身体に接するシートベルト１２a、１２ｂの位置を正しく保ち、車両乗車時の安全性を高めることにも繋がる。また、図６、図７で説明した頭当接部３、及び身体当接部４a、４ｂの素材として、キルティング布などの布製品を用いる構成とすることで、安全性をより高めることが出来、好適である。
【００４１】
また、図６に示すように、左右一対配置された身体当接部４a、４ｂにより、マットベース２、身体当接部４a、４ｂ、乳児の身体２２の間に空間的隙間３０ができる。この乳児の身体２２の背中中央（背骨付近）は通常、最も発汗し易く、また発汗した場合、汗が乾きにくく不快感を覚えやすい場所である。
本発明のチャイルドシート用マット１では、この空間的隙間３０により乳児の身体２２の背中部の通気性を良好とし、乳児２０の背中部の発汗を抑えることができる。
また、通気性が良好であるため、乳児２０が発汗した場合にも速やかに乾かすことができ、乳児２０が着座した場合の不快感を低減することもできる。
【００４２】
本実施形態において、乳児２０の不快感低減において、本発明のチャイルドシート用マット１の構成であるマットベース２、頭当接部３、身体当接部４a、４ｂの表面は汗等の水分を吸水する吸水性の布を、裏面は合成繊維製の立体メッシュ構造など前記吸水した水分を発散させる構造とすれば、その効果はさらに高まることはいうまでもない。
【００４３】
(第２実施形態)
以下、図７、図８を用いて第２実施形態を説明する。第２実施形態では、第１実施形態で説明した頭当接部３、及び身体当接部４a、４ｂを乳幼児が好み、また乳幼児らしさを備えた形状としたものであり、第１実施形態に係る図中の符号を１００番台に置き換え、第１実施形態と同様の構成部分についてはその説明を援用する。
【００４４】
本発明のチャイルドシート用マット１０１を前述の第１実施形態を用いて説明したが、チャイルドシート１００に着座したときに前記本発明のチャイルドシート用マット１０１を使用し頭部、身体を保持すべき乳幼児は比較的身体の体格の小さな乳幼児（0歳から3歳くらいまで）が適している。それを鑑みるとチャイルドシート用マット１０１をかわいい形状やキャラクターの形状とした方が好ましく、また使用する乳幼児にも好まれる。
【００４５】
第２実施形態では、そのことから、頭当接部１０３を花、身体当接部１０４a、１０４ｂを葉の形状としマットベース１０２に取り付けている。
図７は本実施形態におけるチャイルドシート用マット１０１の概略正面図であり、それぞれマットベース１０２、頭当接部１０３、頭当接部の凹部１０３a、身体当接部１０４a、１０４ｂを示し、各部の作用、効果は第1実施形態と同様であるため説明は省略する。
また、チャイルドシート１００に第２実施形態におけるチャイルドシート用マット１０１を載置した状態を図８で示すが、第1実施形態と同等の作用、効果とともに、第２実施形態を用いることでの付随的な効果としては、図７、８に示すように頭当接部１０３を花、身体当接部１０４a、１０４ｂを葉の形状としマットベース１０２に取り付けたチャイルドシート用マット１０１を、チャイルドシート１００に載置することにより、乳幼児が着座した場合にかわいらしさを演出する効果を奏する。
【図面の簡単な説明】
【００４６】
【図１】第１実施形態のチャイルドシート用マット１の正面図である。
【図２】第１実施形態のチャイルドシート用マット１のマットベース２の正面図である。
【図３】第１実施形態のチャイルドシート用マット１をチャイルドシート１０に載置した状態を示す正面図である。
【図４】第１実施形態のチャイルドシート用マット１をチャイルドシート１０に載置した状態で、乳児２０が着座した状態を示す斜視図である。
【図５】第１実施形態のチャイルドシート用マット１をチャイルドシート１０に載置した状態で、乳児２０が着座した状態の頭部の断面図である。
【図６】第１実施形態のチャイルドシート用マット１をチャイルドシート１０に載置し、乳児２０が着座した状態の身体部の断面図である。
【図７】第２実施形態のチャイルドシート用マット１０１の正面図である。
【図８】第２実施形態のチャイルドシート用マット１０１をチャイルドシート１００に載置した状態を示す斜視図である
【符号の説明】
【００４７】
１…チャイルドシート用マット（第１実施形態）
２…マットベース（第１実施形態）
３…頭当接部（第１実施形態）
３a…凹部(第１実施形態)
４a、４ｂ…身体当接部（第１実施形態）
５、６a、６ｂ…マジックテープ(登録商標)
７a、７ｂ…切り込み部
８a、８ｂ…足置載部
９a…座部
９ｂ…背もたれ部
１０…チャイルドシート（第１実施形態）
１１a、１１ｂ…側壁部
１１ｃ、１１ｄ…座部側壁
１２a、１２ｂ…シートベルト
１３…締結部
２０…乳児
２１…乳児の頭部
２２…乳児の身体
３０…空間的隙間
１０１…チャイルドシート用マット（第２実施形態）
１０２…マットベース（第２実施形態）
１０３…頭当接部（第２実施形態）
１０３a…凹部(第２実施形態)
１０４a、１０４ｂ…身体当接部（第２実施形態）
１００…チャイルドシート（第２実施形態）
【図１】
2006102385.tif 000003
【図２】
2006102385.tif 000004
【図３】
2006102385.tif 000005
【図４】
2006102385.tif 000006
【図５】
2006102385.tif 000007
【図６】
2006102385.tif 000008
【図７】
2006102385.tif 000009
【図８】
2006102385.tif 000010